(57)【特許請求の範囲】
【請求項１】
コンピュータと、画面解像度が互いに異なる複数台の投射型表示装置とをネットワークで接続して画像を表示する画像表示システムにおいて、
前記コンピュータは、
前記複数台の投射型表示装置から前記ネットワーク経由でそれぞれ画面解像度の情報を取得する第１の処理と、
表示対象の画像データから、前記第１の処理で取得した情報が示す最小の画面解像度に合わせたサイズの画像データを作成して、その作成した画像データを前記ネットワーク経由で前記複数台の投射型表示装置に転送する第２の処理と
を行い、
前記複数台の投射型表示装置のうち、画面解像度が最小の投射型表示装置以外の投射型表示装置は、
前記コンピュータから転送された画像データを、自己の投射型表示装置の画面解像度と前記最小の画面解像度との水平画素数の差分の２分の１だけ又は２分の１近く画面の右方向に移動するようにシフトさせ、そのシフトさせた画像データを表示させる制御手段を備えた
画像表示システム。
【請求項２】
請求項１に記載の画像表示システムにおいて、
前記制御手段は、前記コンピュータから転送された画像データを格納したビデオＲＡＭ上で、自己の投射型表示装置の画面解像度と前記最小の画面解像度との水平画素数の差分の２分の１だけ又は２分の１近く画面の右方向に移動するように個々の画素のデータを再配置し、その再配置した画像データを前記ビデオＲＡＭから読み出して表示させる
画像表示システム。
【請求項３】
請求項１に記載の画像表示システムにおいて、
前記複数台の投射型表示装置は、画面解像度がＸＧＡの投射型表示装置と、画面解像度がＷＸＧＡの投射型表示装置とであり、
画面解像度がＷＸＧＡの投射型表示装置に、前記制御手段として、前記コンピュータから転送された画像データを、ＷＸＧＡとＸＧＡとの水平画素数の差分の２分の１だけ画面の右方向にシフトさせる制御手段を備えた
画像表示システム。
【請求項４】
コンピュータと、画面解像度が互いに異なる複数台の投射型表示装置とをネットワークで接続して画像を表示する画像表示方法において、
前記コンピュータが、前記複数台の投射型表示装置から前記ネットワーク経由でそれぞれ画面解像度の情報を取得する第１のステップと、
前記コンピュータが、表示対象の画像データから、前記情報が示す最小の画面解像度に合わせたサイズの画像データを作成して、その作成した画像データを前記ネットワーク経由で前記複数台の投射型表示装置に転送する第２のステップと、
前記複数台の投射型表示装置のうち、画面解像度が最小の投射型表示装置以外の投射型表示装置に備えられた制御手段が、前記コンピュータから転送された画像データを、自己の投射型表示装置の画面解像度と前記最小の画面解像度との水平画素数の差分の２分の１だけ又は２分の１近く画面の右方向に移動するようにシフトさせ、そのシフトさせた画像データを表示させる第３のステップとを有する
画像表示方法。
【請求項５】
ネットワーク・インターフェースを備えた投射型表示装置において、
ネットワーク経由で受信した画像データのサイズが、前記投射型表示装置の画面解像度に一致するか、それよりも小さい画面解像度に一致するかを判断する第１の処理と、
前記第１の処理の判断において前記小さい画面解像度に一致した場合、前記受信した画像データを、前記投射型表示装置の画面解像度と前記小さい画面解像度との水平画素数の差分の２分の１だけ又は２分の１近く画面の右方向に移動するようにシフトさせ、そのシフトさせた画像データを表示させる第２の処理と
を行う制御手段を備えた
投射型表示装置。
【請求項６】
請求項５に記載の投射型表示装置において、
前記制御手段は、前記第２の処理として、前記受信した画像データを格納したビデオＲＡＭ上で、前記投射型表示装置の画面解像度と前記小さい画面解像度との水平画素数の差分の２分の１だけ又は２分の１近く画面の右方向に移動するように個々の画素のデータを再配置し、その再配置した画像データを前記ビデオＲＡＭから読み出して表示させる
投射型表示装置。
【請求項７】
請求項５に記載の投射型表示装置において、
前記投射型表示装置は、画面解像度がＷＸＧＡの投射型表示装置であり、
前記制御手段は、前記第１の処理において、前記受信した画像データのサイズがＸＧＡに一致するものであった場合、前記第２の処理として、前記受信した画像データを、ＷＸＧＡとＸＧＡとの水平画素数の差分の２分の１だけ画面の右方向にシフトさせる
投射型表示装置。
【発明の詳細な説明】
【技術分野】
【０００１】
本発明は、コンピュータと投射型表示装置とをネットワークで接続して画像を表示する画像表示システム，画像表示方法に関し、特に、画面解像度が互いに異なる複数台の投射型表示装置を含んだものに関する。また本発明は、そうした画像表示システム，画像表示方法に用いる投射型表示装置に関する。
【背景技術】
【０００２】
近年、パーソナルコンピュータでプレゼンテーション用のアプリケーションソフトウェア等を用いて作成した画像データを、パーソナルコンピュータから液晶プロジェクターのような投射型表示装置に送ってスクリーンに投射することが、学校での授業や各種の会議・講演等で一般的に行われるようになっている。
【０００３】
液晶プロジェクターには、ネットワーク・インターフェースを搭載したものも存在している。そこで、パーソナルコンピュータと液晶プロジェクターとをネットワークで接続し、パーソナルコンピュータからネットワーク経由で液晶プロジェクターに画像データを転送するという画像表示システムも実現されている。
【０００４】
従来のこうした画像表示システムでは、使用される液晶プロジェクターは、画面解像度がＸＧＡ（１０２４×７６８ピクセル）の液晶プロジェクターだけであった（非特許文献１参照）。そして、パーソナルコンピュータは、画像データを転送させる操作が行われると、バックグランドの処理として、アプリケーションソフトウェアを用いて作成されて内蔵ハードディスク等に保存されている画像データから、ＸＧＡに合わせたサイズの画像データを作成する処理（リサイズ）を行い、そのリサイズした画像データを液晶プロジェクターに転送していた。
【０００５】
【非特許文献１】ソニー（株）  ＤａｔａＰｒｏｊｅｃｔｏｒ取扱説明書ネットワーク編  ４頁［online］、［平成19年9月25日検索］インターネット（ＵＲＬ：http://www.aii.co.jp/contents/smojsdmk/b2b_index/manual_pdf/pj/2686489031.pdf）
【発明の開示】
【発明が解決しようとする課題】
【０００６】
ところで、従来は液晶プロジェクターの画面解像度はＸＧＡが主流であったが、最近は、画面解像度がそれよりも大きいＷＸＧＡ（１２８０×７６８ピクセル）の液晶プロジェクターも登場している。そこで、例えば収容人数の多い大教室や大会場において、どの席からでも画像がよく見えるようにするために、教室や会場の前方の中央の位置に大きなスクリーンを設置して画面解像度ＷＸＧＡの液晶プロジェクターから画像を投射し、教室や会場の前方の両端の位置には小さなスクリーンを設置して画面解像度ＸＧＡの液晶プロジェクターから同じ画像を投射するということも可能になっている。
【０００７】
しかし、このように画面解像度が互いに異なる複数台の液晶プロジェクターとパーソナルコンピュータとをネットワークで接続し、パーソナルコンピュータからそれらの液晶プロジェクターに画像データを転送させようとする場合に、パーソナルコンピュータが、画像データをＸＧＡに合わせてリサイズする処理と、画像データをＷＸＧＡに合わせてリサイズする処理との両方を行うとすると、リサイズには間引きや補間といった計算量の多い演算が必要なため、パーソナルコンピュータのバックグランドの処理の負担が非常に大きくなってしまう。そこで、パーソナルコンピュータには、ＸＧＡかＷＸＧＡかのいずれか一方に合わせたリサイズだけを行わせることが望ましい。
【０００８】
ところが、ＸＧＡかＷＸＧＡかのいずれか一方に合わせてリサイズした画像データだけが転送されると、その画像データと自己の画面解像度が一致していないほうの液晶プロジェクターでは、そのままでは、スクリーンに映し出される画面の隅のほうに偏って画像が表示される（ＸＧＡに合わせたサイズの画像をＷＸＧＡの液晶プロジェクターで表示する場合）か、画像の一部が画面からはみ出して表示されなくなる（ＷＸＧＡに合わせたサイズの画像をＸＧＡの液晶プロジェクターで表示する場合）ことになるので、画像が見づらくなってしまう。
【０００９】
こうした事態を防ぐ方法としては、液晶プロジェクターの側で、転送された画像データのサイズが自己の画面解像度に一致しない場合に、画像データを自己の画面解像度に合わせてリサイズするという方法も考えられる。
【００１０】
しかし、液晶プロジェクターに搭載されているプロセッサは比較的処理能力が低いので、計算量の多い処理であるリサイズを行わせると、パーソナルコンピュータとの間でリアルタイムに通信を行いながら画像を表示することが困難になる。そのため、同じ教室や会場において、自己の画面解像度と一致する画像データが送られた液晶プロジェクターで画像が表示されるタイミングよりも、自己の画面解像度と一致ない画像データが送られた液晶プロジェクターで画像が表示されるタイミングが大きく遅れてしまうことがある。このように同じ画像の表示タイミングが大きくずれると、授業や講演等の円滑な進行に支障が生じてしまう。
【００１１】
本発明は、上述の点に鑑み、コンピュータと、画面解像度が互いに異なる複数台の投射型表示装置とをネットワークで接続して画像を表示する際に、各投射型表示装置に、見やすく、且つリアルタイムに画像を表示させることを課題とする。
【課題を解決するための手段】
【００１２】
この課題を解決するため、本発明は、コンピュータと、画面解像度が互いに異なる複数台の投射型表示装置とをネットワークで接続して画像を表示する画像表示システムにおいて、
前記コンピュータは、
前記複数台の投射型表示装置から前記ネットワーク経由でそれぞれ画面解像度の情報を取得する第１の処理と、
表示対象の画像データから、前記第１の処理で取得した情報が示す最小の画面解像度に合わせたサイズの画像データを作成して、その作成した画像データを前記ネットワーク経由で前記複数台の投射型表示装置に転送する第２の処理と
を行い、
前記複数台の投射型表示装置のうち、画面解像度が最小の投射型表示装置以外の投射型表示装置に、
前記コンピュータから転送された画像データを、自己の投射型表示装置の画面解像度と前記最小の画面解像度との水平画素数の差分の２分の１だけ又は２分の１近く画面の右方向に移動するようにシフトさせ、そのシフトさせた画像データを表示させる制御手段
を備えたことを特徴とする。
【００１３】
この画像表示システムでは、コンピュータは、各投射型表示装置から画面解像度の情報を取得した後、最小の画面解像度に合わせたリサイズだけを行うので、それぞれの画面解像度に合わせたリサイズを行う場合のように処理の負担が大きくなることはない。
【００１４】
そして、この画像表示システムでは、画面解像度が最小の投射型表示装置以外の投射型表示装置（すなわち自己の画面解像度に一致しない画像データが転送される投射型表示装置）に、転送された画像データを、自己の投射型表示装置の画面解像度と最小の画面解像度との水平画素数の差分の２分の１だけ又は２分の１近く画面の右方向に移動するようにシフトさせ、そのシフトさせた画像データを表示させる制御手段が備えられている。
【００１５】
このように画像データをシフトさせることにより、画面の略中央の位置に画像が表示されるので、画像が画面の隅のほうに偏って表示されて見づらくなるようなことがなくなり、画像が見やすくなる。
【００１６】
そして、こうしたシフト処理は、リサイズと比較してはるかに計算量が少ないので、既存の投射型表示装置に搭載されている比較的処理能力の低いプロセッサにも、この制御手段としての機能をリアルタイムに実現させることができる。
【００１７】
これにより、コンピュータと、画面解像度が互いに異なる複数台の投射型表示装置とをネットワークで接続して画像を表示する際に、各投射型表示装置に、見やすく、且つリアルタイムに画像を表示させることができる。
【００１８】
なお、この画像表示システムにおいて、一例として、制御手段は、シフト処理として、コンピュータから転送された画像データを格納したビデオＲＡＭ上で、自己の投射型表示装置の画面解像度と最小の画面解像度との水平画素数の差分の２分の１だけ又は２分の１近く画面の右方向に移動するように個々の画素のデータを再配置する処理を行い、その再配置した画像データをビデオＲＡＭから読み出して表示させることが好適である。
【００１９】
また、この画像表示システムにおいて、複数台の投射型表示装置が、画面解像度がＸＧＡの投射型表示装置と、画面解像度がＷＸＧＡの投射型表示装置とである場合には、画面解像度ＷＸＧＡの投射型表示装置に、制御手段として、コンピュータから転送された画像データを、ＷＸＧＡとＸＧＡとの水平画素数の差分の２分の１だけ画面の右方向にシフトさせる制御手段を備えることが好適である。
【００２０】
次に、本発明は、
コンピュータと、画面解像度が互いに異なる複数台の投射型表示装置とをネットワークで接続して画像を表示する画像表示方法において、
前記コンピュータが、前記複数台の投射型表示装置から前記ネットワーク経由でそれぞれ画面解像度の情報を取得する第１のステップと、
前記コンピュータが、表示対象の画像データから、前記情報が示す最小の画面解像度に合わせたサイズの画像データを作成して、その作成した画像データを前記ネットワーク経由で前記複数台の投射型表示装置に転送する第２のステップと、
前記複数台の投射型表示装置のうち、画面解像度が最小の投射型表示装置以外の投射型表示装置に備えられた制御手段が、前記コンピュータから転送された画像データを、自己の投射型表示装置の画面解像度と前記最小の画面解像度との水平画素数の差分の２分の１だけ又は２分の１近く画面の右方向に移動するようにシフトさせ、そのシフトさせた画像データを表示させる第３のステップと
を有することを特徴とする。
【００２１】
この画像表示方法では、コンピュータは、各投射型表示装置から画面解像度の情報を取得した後、最小の画面解像度に合わせたリサイズだけを行うので、それぞれの画面解像度に合わせたリサイズを行う場合のように処理の負担が大きくなることはない。
【００２２】
そして、この画像表示方法では、画面解像度が最小の投射型表示装置以外の投射型表示装置（すなわち自己の画面解像度に一致しないサイズの画像データが転送される投射型表示装置）内の制御手段が、転送された画像データを、自己の投射型表示装置の画面解像度と最小の画面解像度との水平画素数の差分の２分の１だけ又は２分の１近く画面の右方向に移動するようにシフトさせ、そのシフトさせた画像データを表示させる。
【００２３】
このように画像データをシフトさせることにより、画面の略中央の位置に画像が表示されるので、画像が画面の隅のほうに偏って表示されて見づらくなるようなことがなくなり、画像が見やすくなる。
【００２４】
そして、こうしたシフト処理は、リサイズと比較してはるかに計算量が少ないので、既存の投射型表示装置に搭載されている比較的処理能力の低いプロセッサにも、この制御手段としての機能をリアルタイムに実現させることができる。
【００２５】
これにより、コンピュータと、画面解像度が互いに異なる複数台の投射型表示装置とをネットワークで接続して画像を表示する際に、各投射型表示装置に、見やすく、且つリアルタイムに画像を表示させることができる。
【００２６】
次に、本発明は、ネットワーク・インターフェースを備えた投射型表示装置において、
ネットワーク経由で受信した画像データのサイズが、前記投射型表示装置の画面解像度に一致するか、それよりも小さい画面解像度に一致するかを判断する第１の処理と、
前記第１の処理の判断において前記小さい画面解像度に一致した場合、前記受信した画像データを、前記投射型表示装置の画面解像度と前記小さい画面解像度との水平画素数の差分の２分の１だけ又は２分の１近く画面の右方向に移動するようにシフトさせ、そのシフトさせた画像データを表示させる第２の処理と
を行う制御手段
を備えたことを特徴とする。
【００２７】
この投射型表示装置では、ネットワーク経由で受信した画像データのサイズが自己の画面解像度よりも小さい画面解像度に一致した場合、その受信した画像データを、自己の画面解像度とその小さい画面解像度との水平画素数の差分の２分の１だけ又は２分の１近く画面の右方向に移動するようにシフトさせ、そのシフトさせた画像データを表示させる制御手段が備えられている。
【００２８】
したがって、前述の本発明に係る画像表示システム，画像表示方法において、画面解像度が最小の投射型表示装置以外の投射型表示装置として用いることにより、見やすく、且つリアルタイムに画像を表示させることができる。
【発明の効果】
【００２９】
本発明によれば、コンピュータと、画面解像度が互いに異なる複数台の投射型表示装置とをネットワークで接続して画像を表示する際に、各投射型表示装置に、見やすく、且つリアルタイムに画像を表示させることができるという効果が得られる。
【発明を実施するための最良の形態】
【００３０】
以下、本発明の実施の形態を、図面を用いて具体的に説明する。図１は、本発明を適用した画像表示システムの全体構成を示す図である。パーソナルコンピュータ１と、画面解像度がＷＸＧＡの１台の液晶プロジェクター２と、画面解像度がＸＧＡの２台の液晶プロジェクター３とが、イーサネット（イーサネット：Ethernetは登録商標）のようなＬＡＮ（ローカル・エリア・ネットワーク）４で接続されている。
【００３１】
この画像表示システムは、例えば収容人数の多い大教室や大会場で授業や講演等を行う際に、どの席からでも画像がよく見えるようにするために、教室や会場の前方の中央の位置に大きなスクリーン（図示略）を設置して液晶プロジェクター２から画像を投射し、教室や会場の前方の両端の位置には小さなスクリーン（図示略）を設置してそれぞれ１台ずつの液晶プロジェクター３から同じ画像を投射するというようにして用いることができる。
【００３２】
図２は、液晶プロジェクター２のハードウェア構成のうち、本発明に関連する部分を示すブロック図である。ネットワーク・インターフェース１０と、液晶プロジェクター２全体を制御するＣＰＵ１１と、ＣＰＵ１１が実行するプログラム等が格納されたＲＯＭ１２と、ＶＲＡＭ（ビデオＲＡＭ）１３と、液晶パネル１６を制御する液晶駆動部１４とが、液晶プロジェクター内部のバス１５で接続されている。なお、このハードウェア構成そのものは既存の液晶プロジェクターと共通しており、ＣＰＵ１１も、画面解像度ＷＸＧＡの通常の液晶プロジェクターに搭載されるＣＰＵと同等の、比較的処理能力の低いものである。
【００３３】
図１のパーソナルコンピュータ１には、プレゼンテーション用のアプリケーションソフトウェアがインストールされているとともに、そのアプリケーションソフトウェアを用いて作成した画像データが内蔵ハードディスクに保存されている。また、パーソナルコンピュータ１には、バックグランド処理として、図３に示すような画像データのリサイズ・転送処理を実行するプログラムもインストールされている。
【００３４】
この処理では、最初に、ＬＡＮ４に接続されている各液晶プロジェクターに、ＬＡＮ４経由でそれぞれ画面解像度の情報を要求する（ステップＳ１）。そして、その要求に応じて各液晶プロジェクターから送信された画面解像度の情報を取得する（ステップＳ２）。
【００３５】
続いて、プレゼンテーション用のアプリケーションソフトウェアによってパーソナルコンピュータ１に表示されている操作画面上で、いずれかの画像データを表示させる操作が行われるまで待機する（ステップＳ３）。
【００３６】
画像データを表示させる操作が行われると、表示対象の画像データを内蔵ハードディスクから読み出し、その画像データから、ステップＳ２で取得した情報が示す最小の画面解像度（ただし、ステップＳ２で取得した情報が示す画面解像度が一種類である場合はその画面解像度）に合わせたサイズの画像データを作成する（ステップＳ４）。そして、そのリサイズした画像データと、その画像データのサイズを示すサイズ情報とを、ＬＡＮ４に接続されている全ての液晶プロジェクターに、ＬＡＮ４経由で転送する（ステップＳ５）。
【００３７】
以下、プレゼンテーション用のアプリケーションソフトウェアが終了するまで、ステップＳ３以降を繰り返す（ステップＳ６）。
【００３８】
図１のように画面解像度ＷＸＧＡの液晶プロジェクター２と画面解像度ＸＧＡの液晶プロジェクター３とがＬＡＮ４に接続されている場合、この図３の処理により、表示対象の画像データが、ＸＧＡに合わせてリサイズされて、全ての液晶プロジェクター２，３に転送されることになる。
【００３９】
この図３の処理では、各液晶プロジェクターから画面解像度の情報を取得した後、最小の画面解像度に合わせたリサイズだけを行うので、それぞれの画面解像度に合わせたリサイズを行う場合のようにバックグランド処理の負担が大きくなることはない。
【００４０】
液晶プロジェクター２では、パーソナルコンピュータ１からこの画像データ及びサイズ情報が転送されてネットワーク・インターフェース１０（図２）で受信されると、ＣＰＵ１１（図２）が、この画像データをＶＲＡＭ１３（図２）に展開するとともに、このサイズ情報が、液晶プロジェクター２の画面解像度に一致するＷＸＧＡを示しているか、それともＸＧＡを示しているかを判断する。
【００４１】
このサイズ情報がＸＧＡを示している場合、ＣＰＵ１１は、この画像データを、画像の表示位置が画面のちょうど中央に移動するようにシフトさせるために、ＶＲＡＭ１３上で、個々の画素のデータを再配置する。すなわち、ＷＸＧＡは１２８０×７６８ピクセルであるのに対しＸＧＡは１０２４×７６８ピクセルであり、ＷＸＧＡのほうが水平画素数が多いためにそのままでは画面の左端に偏って画像が表示されるような配置でＶＲＡＭ１３に展開されるので、個々の画素のデータを、ＷＸＧＡとＸＧＡとの水平画素数の差分の２分の１である１２８画素分だけ画面の右方向に移動するように再配置する。
【００４２】
そして、ＣＰＵ１１は、このように再配置した画像データを、ＶＲＡＭ１３から読み出し、液晶駆動部１４（図２）に送ることによって表示（画像データに応じて液晶パネル１６で変調された光を投射）させる。
【００４３】
図４は、こうしたシフト処理によって液晶プロジェクター３で表示される画像の位置を、シフト処理を行わなかった場合の画像の表示位置と対比して例示する図であり、上側がシフト処理を行わなかった場合の表示位置、下側がシフト処理を行った場合の表示位置である。シフト処理を行わなかった場合には、スクリーンに映し出される画面の左隅のほうに偏って画像が表示されるので、画像が見づらくなってしまうのに対し、シフト処理を行うことにより、画面のちょうど中央の位置に画像が表示されるので、画像が見やすくなる。
【００４４】
そして、こうした表示位置を移動するシフト処理は、リサイズと比較してはるかに計算量が少ないので、比較的処理能力の低いＣＰＵ１１にもリアルタイムに実行させることができる。したがって、このシフト処理を行っても、画像を表示するタイミングはほとんど遅れることがない。
【００４５】
図１の液晶プロジェクター３は、ネットワーク・インターフェースを有する通常の液晶プロジェクターである。図５は、液晶プロジェクター２，３で表示される画像（図４に示したのと同じ画像）を例示する図である。ＸＧＡのサイズの画像が各液晶プロジェクター３で通常通り表示されるのとほとんど同時に、液晶プロジェクター２で、同じ画像が画面のちょうど中央の位置に表示される。
【００４６】
このように、各液晶プロジェクター２，３で、見やすく、且つリアルタイムに画像が表示されるので、大教室や大会場においても、円滑に授業や講演等を行うことができる。
【００４７】
なお、液晶プロジェクター２内のＣＰＵ１１（図２）は、パーソナルコンピュータ１から転送されたサイズ情報がＷＸＧＡを示していた場合には、パーソナルコンピュータ１から転送された画像データを、ＶＲＡＭ１３（図２）に展開した後、そのままＶＲＡＭ１３から読み出して液晶駆動部１４（図２）に送る。また、仮に液晶プロジェクター３のほうがＬＡＮ４に接続されていない（パーソナルコンピュータ１と液晶プロジェクター２とだけがＬＡＮ４に接続されている）ような場合には、パーソナルコンピュータ１が実行する図３の処理では、ＷＸＧＡに合わせてリサイズした画像データが液晶プロジェクター２に転送される。したがって、その場合には、ＷＸＧＡのサイズの画像が、液晶プロジェクター２で通常通り表示される。
【００４８】
以上の実施の形態では、画面解像度ＷＸＧＡの液晶プロジェクター２内のＣＰＵ１１に、ＸＧＡのサイズの画像の表示位置が画面のちょうど中央に移動するようなシフト処理を行わせている。しかし、このように画面のちょうど中央でなくとも、中央に近い位置に（少なくともそのまま画像を表示する場合よりも中央寄りに）移動させるようなシフト処理を行わせるようにしてもよく、そのようなシフト処理も本発明の技術的範囲に含まれるものである。
【００４９】
また、以上の実施の形態では、画面解像度ＷＸＧＡの液晶プロジェクター２内のＣＰＵ１１に、ＶＲＡＭ１３上で個々の画素のデータを再配置するという方法で、画像の表示位置を移動するシフト処理を行わせている。しかし、このＣＰＵ１１の処理能力の範囲内で、ＶＲＡＭ１３上での再配置以外の方法でこのシフト処理を行わせる（例えば、画像データをＶＲＡＭ１３に展開する段階で、個々の画素のデータの書込みアドレスを、表示位置の移動量に応じてずらしておく）ようにしてもよい。
【００５０】
また、以上の実施の形態では、画面解像度ＷＸＧＡの液晶プロジェクターと、画面解像度ＸＧＡの液晶プロジェクターとを用いた画像表示システムに本発明を適用している。しかし、これに限らず、これらの液晶プロジェクターに加えて画面解像度ＳＸＧＡ＋（１４００×１０５０ピクセル）の液晶プロジェクターを用いた画像表示システムや、あるいは画面解像度ＷＸＧＡの液晶プロジェクターと画面解像度ＸＧＡの液晶プロジェクターとのいずれか一方に代えて画面解像度ＳＸＧＡ＋の液晶プロジェクターを用いた画像表示システムにも本発明を適用してよい。
【００５１】
例えば画面解像度ＸＧＡの液晶プロジェクターと画面解像度ＳＸＧＡ＋の液晶プロジェクターとを用いた画像表示システムに本発明を適用する場合、ＳＸＧＡ＋のほうが水平画素数だけでなくライン数も多いので、ＶＲＡＭ上で、個々の画素のデータを、ＷＸＧＡとＸＧＡとの水平画素数の差分の２分の１である１８８画素分だけ画面の右方向に移動するとともに、ＷＸＧＡとＸＧＡとのライン数の差分の２分の１である１４１ライン分だけ画面の下方向に移動するように再配置すればよい。それにより、画面解像度ＳＸＧＡ＋の液晶プロジェクターにも、図６に例示するように、ＸＧＡのサイズの画像を画面のちょうど中央の位置に表示させることができる。
【００５２】
また、以上の実施の形態ではパーソナルコンピュータと液晶プロジェクターとを有線のＬＡＮで接続しているが、これに限らず、パーソナルコンピュータと液晶プロジェクターとを無線ＬＡＮで接続した画像表示システムにも本発明を適用してよい。
【００５３】
また、以上の実施の形態では、液晶プロジェクターを用いた画像表示システムに本発明を適用しているが、これに限らず、液晶プロジェクター以外の投射型表示装置（例えばＤＬＰプロジェクターなど）を用いた画像表示システムにも本発明を適用してよい。
【図面の簡単な説明】
【００５４】
【図１】本発明を適用した画像表示システムの全体構成を示す図である。
【図２】図１の液晶プロジェクター２の構成のうち、本発明に関連する部分を示すブロック図である。
【図３】図１のパーソナルコンピュータ１が実行する画像リサイズ・転送処理を示すフローチャートである。
【図４】図１の液晶プロジェクター２のシフト処理による画像の表示位置を示す図である。
【図５】図１の液晶プロジェクター２，３で表示される画像を例示する図である。を例示する図である。
【図６】画面解像度ＳＸＧＡ＋の液晶プロジェクターの場合のシフト処理による画像の表示位置を示す図である。
【符号の説明】
【００５５】
１  パーソナルコンピュータ、  ２  液晶プロジェクター、  ３  液晶プロジェクター３、  ４  ＬＡＮ、  １０  ネットワーク・インターフェース、  １１  ＣＰＵ、  １２  ＲＯＭ、  １３  ＶＲＡＭ（ビデオＲＡＭ）、  １４  液晶駆動部、  １５  バス、  １６  液晶パネル
【図１】
0005176451.tif 000002
【図２】
0005176451.tif 000003
【図３】
0005176451.tif 000004
【図４】
0005176451.tif 000005
【図５】
0005176451.tif 000006
【図６】
0005176451.tif 000007